(57)【要約】【課題】印刷出力機器（画像形成装置）が印刷命令機器と離れた位置にあり、印刷命令と実際の印刷に時間や距離のギャップがある場合でも、ユーザが使いやすく、また効率よく広告を印刷すること。【解決手段】サーバ１０４から受信した広告の情報を表示する広告プレビュー手段８０と、広告プレビュー手段８０で表示された広告内容のいずれかを選択する広告選択手段７４と、印刷媒体の両面への印刷内容の印刷を行う印刷手段７６と、印刷結果が正常に行われたかを判断する印刷結果判定手段７７と、前記印刷結果判定手段７７によって判定された結果を送信する印刷結果送信手段７８と、を有する。【選択図】図２
2014151475.tif 000002
【特許請求の範囲】
【請求項１】
印刷媒体を出力するユーザのＩＤ情報を読み取るＩＤ読取手段と、
前記ＩＤ読取手段で読み取ったＩＤ情報を送信するＩＤ送信手段と、
印刷内容を受信する印刷内容受信手段と、
前記印刷内容受信手段で受信した広告の情報を表示する広告プレビュー手段と、
前記広告プレビュー手段で表示された広告内容のいずれかを選択する広告選択手段と、
印刷媒体の両面への印刷内容の印刷を行う印刷手段と、
印刷結果が正常に行われたかを判断する印刷結果判定手段と、
前記印刷結果判定手段によって判定された結果を送信する印刷結果送信手段と、
を有することを特徴とする画像形成装置。
【請求項２】
前記印刷手段は、広告印刷を第１面に行い、広告印刷終了後の第２面に印刷内容を印刷することを特徴とする請求項１に記載の画像形成装置。
【請求項３】
請求項１又は２に記載の画像形成装置と、サーバとを有する画像形成システムであって、
前記サーバは、
広告を保存する広告情報保存手段と、
前記広告情報保存手段の広告を更新する広告情報更新手段と、
前記広告情報保存手段から広告を取得する広告取得手段と、
印刷内容から、キーワード、ファイル情報、ユーザ情報、印刷内容の印刷命令を行う命令機器の情報を抽出する印刷データ分析手段と、
複数の抽出結果に基づいて広告を選択する広告選択手段と、
を有することを特徴とする画像形成システム。
【請求項４】
前記広告プレビュー用のデータを前記サーバから受信する広告受信手段を有することを特徴とする請求項３に記載の画像形成システム。
【請求項５】
前記印刷内容受信手段で受信した印刷内容の情報を表示する印刷プレビュー手段と、前記印刷プレビュー手段で表示された印刷内容を印刷するか選択する印刷内容選択手段と、を有することを特徴とする請求項３又は４に記載の画像形成システム。
【請求項６】
送信した前記ＩＤ情報に基づいて送られてくるユーザ情報を受信するユーザ情報受信手段と、支払い方法を選択する支払い方法選択手段と、を有することを特徴とする請求項３から５のいずれか１項に記載の画像形成システム。
【発明の詳細な説明】
【技術分野】
【０００１】
本発明は、画像形成装置及びシステムに関し、特に、画像形成装置と画像形成を命令する手段が離れている場合の使いやすさの向上に関する。
【背景技術】
【０００２】
印刷物に広告を追加して印刷する技術に関連する背景技術としては、例えば、特許文献１から４に記載のものがある。
【０００３】
特許文献１（特許第４７８３８０２号公報）に記載の技術として、ネットワークを介して広告管理サーバから広告画像を読み込んで、検出された余白領域に該広告画像を合成出力する画像形成システムで、印刷内容の文字情報から検索キーを抽出して、検索キーに基づいて広告を選択するものが既に知られている。
【０００４】
特許文献２（特許第３８５１０７９号公報）に記載の技術として、複写機の遠隔管理をするために使用されているシステムを利用して、広告主のニーズを満たす広告を顧客に対して迅速かつ効率よく提供することを目的とし、印刷装置の場所などの情報に基づいて広告を用紙のふち部に追加して印刷し広告料を広告主に課金するものが既に知られている。
【０００５】
特許文献３（特許第３４７０４４４号公報）に記載の技術として、ネットワークを介して広告管理サーバから広告画像を読み込んで、検出された余白領域に該広告画像を合成出力する画像形成システムで、各種の広告画像と種々の大きさの広告画像を予め保持し、検出された余白領域に適合する広告画像を擬似乱数や過去の印刷回数を使用し均等に選択し、この選択された広告画像を原稿画像に合成して出力するものが既に知られている。
【０００６】
特許文献４（特開２００２−１０８５７８号公報）に記載の技術として、携帯電話等の携帯電子機器が保持している個人識別情報や印刷装置の環境情報に加えて、インターネット上の広告情報を携帯電子機器が有する情報の印刷結果に追加して印刷し、広告情報印刷時は課金を減額する技術が既に知られている。
【発明の概要】
【発明が解決しようとする課題】
【０００７】
しかしながら、従来技術又はその組み合わせでは、刷出力機器（画像形成装置）が印刷命令機器と離れた位置にあり、印刷命令と実際の印刷に時間や距離のギャップがある場合などでは、出力機器のロケーション情報がわからない問題や印刷命令時と状況が変わった場合には効率よく広告を選択できないという課題があった。
【０００８】
また、印刷ユーザを特定しポイントなどを使って印刷できるような仕組みの場合では、印刷命令時にポイント消費すると実際に印刷が行われない場合などのポイントの扱いや、出力時に印刷条件を変更したい場合などユーザの使いやすさに課題があった。
【０００９】
また、印刷ページの空きスペースや印刷ページのヘッダ領域又はフッタ領域等の限られた箇所に広告提示の機会が限られるという課題があった。
【００１０】
また、用紙の縁部や、検出された余白領域に広告画像を合成出力する方式では、印刷内容を縮小して縁部に余白を作る方法や、印刷内容内に存在する余白部分に画像やキーワードが挿入されるなど、ユーザの意図しないレイアウトや見え方になるため、印刷結果が見にくくなるという課題があった。
【００１１】
また、余白に広告を印刷する場合は余白の大きさや場所によって、広告も限定され、かつユーザの意図しない場所にユーザの意図しない広告が挿入された場合は、広告自体の効果を著しく損なう可能性がある課題があった。
【００１２】
また、余白に広告を印刷する場合は余白の大きさや場所によって、広告元に対しても意図しない広告のレイアウトになってしまう課題があった。
【００１３】
また、用紙裏面に広告を印刷する場合では、印刷内容とマッチングした広告を提示する技術及びその示唆は含まれず、印刷を利用するユーザがより強く広告に関心を抱く機会を失うという課題があった。
【００１４】
また、印刷内容からキーワードを抽出する方法やユーザ情報など、単一の方法だけで決定されているために、広告を効率よく配信できないという課題があった。
【００１５】
本発明は、上記課題に鑑みてなされたものであり、印刷出力機器（画像形成装置）が印刷命令機器と離れた位置にあり、印刷命令と実際の印刷に時間や距離のギャップがある場合でも、ユーザが使いやすく、また効率よく広告を印刷することを目的とする。
【課題を解決するための手段】
【００１６】
上記目的を達成するために、本発明の一態様は、印刷媒体を出力するユーザのＩＤ情報を読み取るＩＤ読取手段と、前記ＩＤ読取手段で読み取ったＩＤ情報を送信するＩＤ送信手段と、印刷内容を受信する印刷内容受信手段と、前記印刷内容受信手段で受信した広告の情報を表示する広告プレビュー手段と、前記広告プレビュー手段で表示された広告内容のいずれかを選択する広告選択手段と、印刷媒体の両面への印刷内容の印刷を行う印刷手段と、印刷結果が正常に行われたかを判断する印刷結果判定手段と、前記印刷結果判定手段によって判定された結果を送信する印刷結果送信手段と、を有することを特徴とする。
【発明の効果】
【００１７】
本発明によれば、印刷出力機器（画像形成装置）が印刷命令機器と離れた位置にあり、印刷命令と実際の印刷に時間や距離のギャップがある場合でも、ユーザが使いやすく、また効率よく広告を印刷することが可能となる。
【図面の簡単な説明】
【００１８】
【図１】本発明の実施形態１の機能構成を示すブロック図である。
【図２】本発明の実施形態２の機能構成を示すブロック図である。
【図３】図２に示したような画像形成システムにて広告印刷を行う基本的なフローチャートである。
【図４】本発明の実施形態３の機能構成を示すブロック図である。
【図５】本発明の実施形態４におけるネットワーク構成例を示す図である。
【発明を実施するための形態】
【００１９】
以下、本発明を実施するための形態について、図面を参照しながら説明する。
【００２０】
＜実施形態１＞
図１に、本実施形態の機能構成を示す。ユーザはＰＣやタブレット端末、携帯電話、インターネットＴＶなどの印刷命令手段（機器）１０にて印刷命令を行う。印刷命令はサーバ１０４が受け付けユーザが画像形成装置７０にて出力命令を行うまで保存しておく。このときユーザはＩＤ情報を入力又は控える。この場合のＩＤ情報は個人に割り振られたものでも、グループに割り振られたものでも、印刷毎に使用するものでも良い。また印刷命令時に裏面に広告を印刷するか否かを選択することや、広告の分類、支払い方法を選択することもできる。
【００２１】
ＩＤ読取手段７２は、印刷媒体を出力するユーザのＩＤ情報を読み取る。ＩＤ送信手段７３は、ＩＤ読取手段７２で読み取ったＩＤ情報をサーバ１０４に送信する。印刷内容受信手段７５は、サーバ１０４から印刷内容を受信する。
【００２２】
広告プレビュー手段８３は、印刷内容受信手段７５で受信した広告の情報を表示する。広告印刷選択手段８１は、広告プレビュー手段８３で表示された広告内容のいずれかをユーザ操作に基づいて選択する。したがって、広告印刷選択選択手段８１は、ユーザが広告を印刷するか否かを選択するインターフェースである。
【００２３】
印刷手段７６は、記録シートの両面に印刷を行う。また、印刷内容受信手段７５が受信した印刷内容を印刷する。印刷結果判定手段７７は、印刷結果が正常に行われたかを判断する。印刷結果送信手段７８は、印刷結果判定手段７７によって判定された結果を送信する。
【００２４】
ユーザは離れた位置に設置してある画像形成装置７０から印刷物を取得する。このとき画像形成装置７０に内蔵又は接続されているＩＤ読取手段７２にてＩＤ情報を入力する。ＩＤ情報の入力方法はユーザ自身で入力する方法や、磁気カードや非接触型ＩＣカードを使用しても良い。
【００２５】
このとき取得したＩＤ情報はＩＤ送信手段７３によってサーバ１０４に送信される。また、出力命令があった後にＩＤ情報と画像形成装置７０の情報（ロケーションなど）印刷内容から広告が決定され、ユーザが指定した印刷情報の裏面に合成される。合成された印刷内容は、画像形成装置７０の印刷内容受信手段７５によって受信され印刷手段７６により印刷される。
【００２６】
画像形成装置７０内の印刷結果判定手段７７により、印刷が正常に実行されか判定され、判定結果はサーバ１０４に送信される。印刷が正常に実行された場合は、サーバ１０４は広告をカウントし印刷内容を消去する。印刷が正常に実行されなかった場合は、サーバ１０４は広告をカウントしない。またユーザが指示した印刷内容は保持され（保持するかユーザ判断のプロセスがあってもよい）違う画像形成装置で出力することも出来る。
【００２７】
＜実施形態２＞
図２に、本実施形態の機能構成を示す。図２を用いて、印刷データを印刷命令手段（機器）１０が持っている場合について説明する。印刷データを印刷命令手段（機器）１０が持っている場合（図２の形態）、印刷命令を行ったユーザ情報１５をサーバ１０４に送信し保存する。ユーザ情報１５は、ユーザＩＤ情報を含む。またユーザが指示した印刷データ１３をサーバ１０４に送信して、ユーザの出力命令（依頼）があるまでサーバ１０４で保存する。このとき印刷内容以外では印刷命令手段（機器）１０の情報や印刷データ１３のファイル情報やメタ情報なども送信しても良い。
【００２８】
サーバ１０４に送信された印刷データは、印刷データ分析手段２０にて分析され、その他ユーザ情報や画像形成装置（出力機器）情報１４などから用紙裏面に印刷する広告を決定する。広告決定のタイミングはユーザが画像形成装置（出力機器）から出力命令を行った時が望ましいが、印刷データをキーワードに分解やＯＣＲや関連語の選定などの分析はサーバ１０４に印刷データが受信してから任意のタイミングで行うことが出来る（前もって処理しておくことが出来る）。
【００２９】
印刷データ分析手段２０は受け取った情報から用紙の裏面に印刷するための分析を行う。ここでいう分析とは、印刷内容にある文字列の中からキーワード群を抽出し、抽出されたキーワード群の中から、頻度の高いものを抽出する方法や、抽出されたキーワード群から関連語を抽出したり、分野を選択するなどである。またユーザＩＤ情報から性別やユーザ自身が選択した広告を希望する分野や希望しない分野などの情報を分析すること、機器のＩＤ情報から機器の設置場所や、想定される使用ユーザなどの情報の分析のいずれかのことである。
【００３０】
広告決定手段３０は、広告選択手段３１と広告情報保存手段３２と広告情報更新手段３３をもつ。これらは同一機器内に存在しても、ネットワーク上に分散されていても良い。さらに同一機器の場合など、ネットワーク上につながない状態で、広告の更新はメモリ機器などを介してユーザ自身又はサービスマンなど手動で行うこともできる。
【００３１】
サーバ１０４の広告決定手段３０は、印刷データ分析手段２０によって抽出された、キーワードや分野、ユーザ情報、機器の設置場所など複数の情報から最適な広告を選択する。このとき選択される広告は複数であっても良い。またユーザが集約印刷などを選択しているときは、広告印刷も集約するなどの選択も可能である。
【００３２】
また、広告決定手段３０は、広告カウント手段６０を持つ。広告カウント手段６０は、広告が印刷された回数をカウントする。カウントされた数字は、広告主へ実績として提示できる。
【００３３】
画像形成装置７０は、サーバ１０４の広告決定手段３０によって決定された広告と、ユーザが要求した印刷内容を別面に印刷する。このとき広告を記録シートの第１面に印刷した後にユーザが要求した印刷内容を第２面に印刷する方が望ましい。広告印刷を先に行うメリットは、機器のエラーや不具合によって印刷結果に乱れが生じた場合、先に広告を印刷しておけばユーザはエラーや不具合を対応した後にもう一度する、もしくは印刷しないので、広告のカウントに乱れが生じにくいことにある。
【００３４】
図３は、図２に示したような画像形成システムにて広告印刷を行う基本的なフローチャートである。図３のフローチャートはまず印刷命令が発生したときを開始とし（Ｓ１０１）、まず印刷データをサーバ１０４が受け付ける（Ｓ１０２）。このとき印刷データはサーバ１０４上にあり印刷命令手段はサーバ１０４上の情報を表示する表示機器であっても良い（この別形態の説明は図４を用いて後述）。
【００３５】
その後ユーザが画像形成装置７０（出力機器）にてユーザ認証を行い（Ｓ１０３）、広告印刷の有無を判断し（Ｓ１０４）、広告印刷の希望がない場合は、広告印刷のフローは何も処理せず終了する。このとき図示はしていないが画像形成装置７０の通常の印刷処理にて広告を印刷せずに印刷を行う（Ｓ１１１）。
【００３６】
広告印刷が選択されていた場合は（Ｓ１０４、Ｙｅｓ）、印刷命令者が出力した出力情報をサーバ１０４の印刷内容取得手段にて取得する（Ｓ１０５）。ここでの出力情報とは、印刷内容の文字データや画像データ、さらに印刷を行うファイルの種類やメタ情報や命令手段の機器情報やユーザ情報など、いずれか複数のデータを指す。
【００３７】
サーバ１０４の印刷データ取得手段が取得した情報は、印刷データ分析手段２０によって分析される（Ｓ１０６）。印刷データ分析手段２０は受け取った情報から用紙の裏面に広告を印刷するための分析を行う。ここでいう分析とは、印刷内容にある文字列の中からキーワード群を抽出し、抽出されたキーワード群の中から、頻度の高いものを抽出する方法や、抽出されたキーワード群から関連語を抽出したり、分野を選択するなどである。またユーザＩＤ情報から性別やユーザ自身が選択した広告を希望する分野や希望しない分野などの情報を分析すること、機器のＩＤ情報から機器の設置場所や、想定される使用ユーザなどの情報の分析などのいずれかのことである。
【００３８】
印刷データ分析手段２０によって分析された複数のデータに基づいて広告情報の取得が行われ（Ｓ１０７）、画像形成装置７０にて用紙の裏面に広告が印刷され出力される（Ｓ１０８）。
【００３９】
印刷後に印刷動作が正常に行われたと判断された場合は（Ｓ１０９，Ｙｅｓ）、印刷した広告のカウントがなされる（Ｓ１１０）。印刷動作が正常に行われなかったと判断された場合は、広告のカウントは行わない。
【００４０】
＜実施形態３＞
図４に、本実施形態の機能構成を示す。図４を用いて、本発明の基本構成の別の形態について説明する。本発明は印刷命令機器が印刷データを持たない形態も可能である。この場合印刷命令機器とはインターネットテレビやシンクライアントでのパーソナルコンピュータや携帯電話、タブレット端末など印刷データはサーバ上に存在し、印刷命令機器はデータを表示し、画像形成手段に印刷命令を行うものである。
【００４１】
印刷データを印刷命令手段が持っていない場合（図４の形態）では、印刷命令を行ったユーザＩＤ情報をサーバに送信し保存する。またユーザが支持した印刷データは、ユーザの出力命令（依頼）があるまでサーバ１０４で保存する。このとき印刷内容以外では印刷命令手段の情報や印刷データのファイル情報やメタ情報なども送信しても良い。
【００４２】
サーバ１０４に保存された印刷データは、印刷データ分析手段２０にて分析され、その他ユーザ情報や画像形成装置（出力機器）情報などから用紙裏面に印刷する広告を決定する。広告決定のタイミングはユーザが画像形成装置（出力機器）から出力命令を行った時が望ましいが、印刷データをキーワードに分解やＯＣＲや関連語の選定などの分析はサーバに印刷データが受信してから任意のタイミングで行うことが出来る（前もって処理しておくことが出来る）。
【００４３】
印刷データ分析手段２０は受け取った情報から用紙の裏面に印刷するための分析を行う。ここでいう分析とは、印刷内容にある文字列の中からキーワード群を抽出し、抽出されたキーワード群の中から、頻度の高いものを抽出する方法や、抽出されたキーワード群から関連語を抽出したり、分野を選択するなどである。またユーザＩＤ情報から性別やユーザ自身が選択した広告を希望する分野や希望しない分野などの情報を分析すること、機器のＩＤ情報から機器の設置場所や、想定される使用ユーザなどの情報の分析のいずれかのことである。
【００４４】
サーバ１０４の広告決定手段３０は、広告選択手段と広告情報保存手段と広告情報更新手段をもつ。これらは同一機器内に存在しても、ネットワーク上に分散されていても良い。さらに同一機器の場合など、ネットワーク上につながない状態で、広告の更新はメモリ機器などを介してユーザ自身又はサービスマンなど手動で行うこともできる。
【００４５】
サーバ１０４の広告決定手段３０は、印刷内容分析手段によって抽出された、キーワードや分野、ユーザ情報、機器の設置場所など複数の情報から最適な広告を選択する。このとき選択される広告は複数であっても良い。またユーザが集約印刷などを選択しているときは、広告印刷も集約するなどの選択も可能である。
【００４６】
画像形成装置７０は、広告決定手段３０によって決定された広告と、ユーザが要求した印刷内容を別面に印刷する。このとき広告を記録シートの第１面に印刷した後にユーザが要求した印刷内容を第２面に印刷する方が望ましい。広告印刷を先に行うメリットは、機器のエラーや不具合によって印刷結果に乱れが生じた場合、先に広告を印刷しておけばユーザはエラーや不具合を対応した後にもう一度する、もしくは印刷しないので、広告のカウントに乱れが生じにくいことにある。
【００４７】
＜実施形態４＞
図５を用いて、本発明の実施形態に係る画像形成システムの実施例を複数しめす。図５は、本実施形態におけるネットワーク構成例を示す図である。それぞれ印刷内容分析手段と広告決定手段３０をシステム内の何処に持つかの違いである。
【００４８】
第１の実施例を、パーソナルコンピュータＮｏ．１から印刷命令を実行し、複写機Ｎｏ．１にて印刷物を出力する場合で説明する。この場合、パーソナルコンピュータＮｏ．１から出した印刷命令をサーバ１０４が受け取る。サーバ１０４は印刷内容分析手段で印刷内容を分析し、広告決定手段３０にて広告を決定する。
【００４９】
ユーザはパーソナルコンピュータＮｏ．１で印刷命令を実行したのち、複写機Ｎｏ．１に移動してＩＤ認証を行い出力命令を実行する。このとき認証したＩＤ情報や印刷データの分析結果や画像形成装置（出力機器）の情報や印刷命令機器（手段）の情報などから広告が決定される。
【００５０】
第２の実施例を、タブレット端末１２０から複写機Ｎｏ．１に広告印刷を行う場合で説明する。第２の実施例は印刷データと印刷内容分析手段と広告決定手段３０がともに広告サーバ１１０に存在する形態である。
【００５１】
この場合、タブレット端末１２０から出力した印刷命令を、広告サーバ１１０が受け取り、広告サーバ１１０は印刷内容分析手段で印刷内容を分析する。また広告サーバ１１０は、印刷内容分析手段で分析した情報を基に広告決定手段３０にて広告を決定し、決定した広告の情報を複写機（画像形成手段）１０２に送信する。複写機（画像形成手段）１０２はユーザが命令した印刷内容と広告サーバ１１０が選定し送ってきた広告を両面印刷で印刷する。
【００５２】
＜実施形態の効果＞
上述した実施形態によれば、印刷出力機器（画像形成装置）が印刷命令機器と離れた位置にあり、印刷命令と実際の印刷に時間や距離のギャップがある場合などで印刷命令時と状況が変わった場合でも効率よく広告を選択することができる。
【００５３】
また上記実施形態によれば、印刷ユーザを特定しポイントなどを使って印刷できるような仕組みにおいても出力時にポイント消費の有無を確認することで最新のポイント情報を参照でき、また事前にポイント消費されないので、より有効にポイントを使えるようにユーザの選択を増やすことができる。印刷命令時のポイント消費や予約を制限することなく、選択肢を増やすことができる。
【００５４】
また上記実施形態によれば、原稿の文字又は画像に含まれる原稿の情報に関連しうる広告を、印刷又は複写を利用するユーザに提示することにより、ユーザがより強い関心を広告に抱く機会を提供することができる。
【００５５】
また上記実施形態によれば、広告を裏面に印刷するためにユーザの意図しない位置に広告が印刷されることなく、広告印刷が印刷内容に与える影響をユーザがあらかじめより予想できることができる。広告が自分の印刷内容のどこに印刷されるかわからないのでは、ユーザに不安を与える可能性がある。一方、裏面に広告が印刷されるとわかっていると、印刷結果がユーザに与えるマイナスのイメージを低減できる。
【００５６】
裏面に広告が印刷されればレイアウトやカラーや濃度はあらかじめ決めることが出来るが、空白位置や縁部に広告を印刷する場合は、色や濃さが印刷内容自体に与える影響や、印刷内容（色や濃さやレイアウトなど）が広告に与える影響が予想できない。また上記実施形態によれば、広告を裏面に印刷するために広告元の意図しない位置に広告が印刷されることなく、広告印刷の効果を広告元がより予想できる。
【００５７】
また上記実施形態によれば、原稿に含まれる文字又は画像の情報と関連しうる広告を裏面に印刷することにより、印刷又は複写を利用するユーザが容易に広告に関心を抱きうる機会を提供することができる。
【００５８】
また上記実施形態によれば、原稿（印刷内容）の印刷命令機器の場所と関連しうる広告を裏面に印刷することにより、印刷又は複写を利用するユーザが容易に広告に関心を抱きうる機会を提供することができる。
【００５９】
また上記実施形態によれば、原稿（印刷内容）の印刷濃度や色に基づいて広告の濃度や色などを決定することによりユーザが広告による不快感を低減できることができる。
【００６０】
また上記実施形態によれば、ユーザのより関心の高い分野や性別や年代の情報からより関心を抱きうるユーザを対象として広告を提示することにより、より効率的な広告提示の機会を広告主に提供することができる。
【００６１】
また上記実施形態によれば、広告により関心を抱きうるユーザを対象として広告を提示することにより、より効率的な広告提示の機会を広告主に提供することができる。
【符号の説明】
【００６２】
１    画像形成システム
１０    印刷命令手段（機器）
１１    広告印刷選択手段
１２    印刷データ
１３    命令印刷内容
１４    命令手段（機器）の情報
１５    ユーザ情報
１６    印刷内容取得手段
２０    印刷データ分析手段
２１    キーワード／画像解析部
２２    ファイル情報抽出部
２３    命令機器情報抽出部
２４    ユーザ情報抽出部
３０    広告決定手段
３１    広告選択手段
３２    広告情報保存手段
３３    広告情報更新手段
４０    印刷物
４１    実行印刷内容
４２    広告
５０    印刷結果判定手段
６０    広告カウント手段
７０    画像形成装置
７１    ユーザインターフェース
７２    ＩＤ読取手段
７３    ＩＤ送信手段
７４    広告印刷選択手段
７５    印刷内容受信手段
７６    印刷手段
７７    印刷結果判定手段
７８    印刷結果送信手段
７９    支払い方法選択手段
８０    広告プレビュー手段
８１    広告選択手段
８２    印刷内容選択手段
８３    印刷プレビュー手段
１００    ネットワーク
１０１    パーソナルコンピュータ
１０２    複写機
１０３    プリンタ
１０４    サーバ
１１０    広告サーバ
１１１    ユーザ管理サーバ
１２０    タブレット端末
１２１    携帯電話
【先行技術文献】
【特許文献】
【００６３】
【特許文献１】特許第４７８３８０２号公報
【特許文献２】特許第３８５１０７９号公報
【特許文献３】特許第３４７０４４４号公報
【特許文献４】特開２００２−１０８５７８号公報
【図１】
2014151475.tif 000003
【図２】
2014151475.tif 000004
【図３】
2014151475.tif 000005
【図４】
2014151475.tif 000006
【図５】
2014151475.tif 000007